(57)【要約】【課題】檻状の罠本体に入った捕獲対象獣がセンサ部に接触さえすればセンサ部が揺動するどの方向へ動いても確実にトリガ装置が作動し開閉扉を落として捕獲対象獣を捕獲することができる罠装置を提供する。【解決手段】罠装置は、罠本体と、罠本体に設けられた出入口にそれぞれ設けられた開閉扉と、トリガ装置を備えている。トリガ装置は、垂下係止片（６１，６２）と、垂下係止片に揺動可能に垂下されており、傾くことにより最高部の高さが高くなる作動板（７０３）を有するセンサ体（７０）と、作動板の上方側に位置し、動作方向へ付勢された状態で上方へ外れることができるよう係止されている動作部材（７１）と、開閉扉と係合し、開閉扉を開けた状態で停止させる停止部材と、動作部材（７１）の移動力を、停止部材（３２）と開閉扉との係合を外す方向の力に変換する駆動力方向変換部とを備えている。【選択図】　　　　図５
2004121077.tif 000002
【特許請求の範囲】
【請求項１】
トリガ装置の作動により閉じ作動する開閉扉を備えた罠装置の作動方法であって、
捕獲対象獣がセンサ体（７０，７０ａ）に接触してセンサ体（７０，７０ａ）が傾き、センサ体（７０，７０ａ）の作動部（７０３）が動作部材（７１）を動かして係止を外し、これによって動作部材（７１）が付勢力で移動することにより、開閉扉を停止させている停止部材（３１）が動いて開閉扉（２，２ａ）を閉じ作動させることを特徴とする、
罠装置の作動方法。
【請求項２】
トリガ装置の作動により閉じ作動する開閉扉を備えた罠装置に使用されるトリガ装置であって、
開閉扉（２，２ａ）を開けた状態で停止させる停止部材（３１）と、
動作方向へ付勢された状態で係止されている動作部材（７１）と、
作動部（７０３）を有し自由方向へ揺動可能に垂下されているセンサ体（７０，７０ａ）と、
を有し、
センサ体（７０，７０ａ）の傾きにより作動部（７０３）が動いて動作部材（７１）の係止を外すようにしてあり、動作部材（７１）が移動することにより停止部材（３１）を動かすようにしてあり、停止部材（３１）が動くことによって開閉扉（２，２ａ）が閉じるようにしてあることを特徴とする、
トリガ装置。
【請求項３】
動作部材（７１）の移動力を、開閉扉（２，２ａ）を閉じ作動させるよう停止部材（３２）を直接または間接的に動かす方向の力に変換する手段（８）を備えていることを特徴とする、
請求項２記載のトリガ装置。
【請求項４】
トリガ装置の作動により閉じ作動する開閉扉を備えた罠装置に使用されるトリガ装置であって、
係止受部（６１，６２）と、
係止受部（６１，６２）に自由方向へ揺動可能に垂下されており、傾くことにより最高部の高さが高くなる作動部（７０３）を有するセンサ体（７０，７０ａ）と、
センサ体（７０，７０ａ）の作動部（７０３）の上方側に位置し、動作方向へ付勢された状態で、上方へ外れることができるよう係止されている動作部材（７１）と、
開閉扉（２，２ａ）と係合し、開閉扉（２，２ａ）を開けた状態で停止させる停止部材（３１）と、
動作部材（７１）の移動力を、停止部材（３２）の開閉扉（２，２ａ）との係合を直接または間接的に外す方向の力に変換する手段（８）と、
を備えており、
センサ体（７０，７０ａ）の傾きにより作動部（７０３）の最高部の高さが高くなり動作部材（７１）を押し上げて係止を外すようにしてあり、動作部材（７１）が移動することにより停止部材（３１）を動かすようにしてあり、停止部材（３１）が動いて係止が外れることによって開閉扉（２，２ａ）が閉じるようにしてあることを特徴とする、
トリガ装置。
【請求項５】
センサ体（７０）は交差して設けられた縦軸（７０１）と横軸（７０２）を有し、作動部（７０３）は縦軸（７０１）の上部に設けてあり、横軸（７０２）は二箇所に設けられた係止受部（６１，６２）に縦方向に設けられた長孔（６３）に両端側を上下動可能及び回動可能に挿通してあることを特徴とする、
請求項４記載のトリガ装置。
【請求項６】
センサ体（７０ａ）は縦軸（７０１）を有し、作動部（７０３）は縦軸（７０１）の上部に設けてあり、縦軸（７０１）は縦軸（７０１）より径大の挿通孔（６６）に挿通され、作動部（７０３）を挿通孔（６６）の孔縁部に係合載置して垂下されていることを特徴とする、
請求項４記載のトリガ装置。
【請求項７】
センサ体（７０，７０ａ）は、捕獲対象獣が触れる部分が着脱可能であることを特徴とする、
請求項２、３、４、５または６記載のトリガ装置。
【請求項８】
作動可能な時間帯を設定する手段（９）を備えていることを特徴とする、
請求項２、３、４、５、６または７記載のトリガ装置。
【請求項９】
動作部材（７１）の移動力を、停止部材（３１）の開閉扉（２，２ａ）との係合を直接または間接的に外す方向の力に変換する手段（８）は、
並設された二本の回動部材（８１，８２）を備えており、各回動部材（８１，８２）は中間部が回動可能に軸支され、一端側には停止部材（３１）を直接または間接的に動かす部材（８３，８４）が接続されており、他端側には長孔（８１２，８２２）が設けられており、各回動部材（８１，８２）は長孔（８１２，８２２）が設けてある側を重ねて交差させてあり、動作部材（７１）の一部または動作部材と連動する部材（８０）の一部が各長孔（８１２，８２２）を貫通してスライド可能に係合した構成であることを特徴とする、
請求項４、５、６、７または８記載のトリガ装置。
【請求項１０】
トリガ装置の作動により閉じ作動する開閉扉を備えた罠装置であって、
罠本体（１）と、
罠本体（１）に単数または複数設けられた出入口（１０，１０ａ）にそれぞれ設けられた開閉扉（２，２ａ）と、
請求項２、３、４、５、６、７、８または９記載のトリガ装置（３）と、
を備えていることを特徴とする、
罠装置。
【発明の詳細な説明】
【０００１】
【発明の属する技術分野】
本発明は、罠装置の作動方法、トリガ装置及びそれを備えた罠装置に関するものである。更に詳しくは、捕獲対象獣の接触を利用したトリガ手段の作動により出入口の開閉扉を落として捕獲対象獣を捕獲する罠装置において、檻状の罠本体に入った捕獲対象獣がセンサ部に接触さえすれば、センサ部がどの方向へ動いても確実に開閉扉を落として捕獲対象獣を捕獲することができるようにしたものに関する。
【０００２】
【従来技術】
罠猟に使用する罠として、檻構造の罠がある。この罠は、一般に箱罠といわれるもので、開閉扉を上昇させて開けた状態でセットしておき、捕獲対象獣が檻の内部に入ってトリガを作動させることによって開閉扉を落とし作動させ、捕獲対象獣を捕獲するようにしたものである。
箱罠の一般的な構造は、開閉扉をトリガで支えてセットするものであり、セットする際は重い開閉扉を上昇させて狩猟者が支えた状態で、トリガの掛かりを調整している。
【０００３】
また、箱罠は開閉扉が一箇所に設けられているものが大多数であるが、開閉扉が二箇所に設けられているものもある（例えば特許文献１参照）。捕獲率は、理論上は捕獲対象獣が檻の中に入りやすい後者の方が優れているが、捕獲対象獣が入ったときに両扉を同時にかつ確実に落とさないと、捕獲対象獣に逃げられる確率が逆に高くなる。
【０００４】
【特許文献１】
特開２００１−３７４００号公報
【０００５】
上記特許文献１に記載された檻構造の罠は、檻本体内に縦軸によって水平方向に回転可能に軸支された回転ドアと、回転ドアの回転軸に設けられた旋回腕と、旋回腕と連動し二枚のシャッタ（開閉扉）を上昇した状態で止めておくストッパ腕とを備えた構造である。この構造によれば、捕獲対象獣が檻本体内に入り、回転ドアに触れて旋回腕が回りストッパ腕が外れることによってシャッタが落下し、捕獲対象獣を捕獲することができる。
【０００６】
【発明が解決しようとする課題】
しかしながら、上記特許文献１に記載された檻構造の罠には、つぎのような課題があった。
まず、回転ドアは檻本体内に縦軸によって水平方向に回転可能に軸支されているので、回転ドアがある角度まで回転（回動）しないとシャッタは落ちない。ところが、警戒した捕獲対象獣が回転ドアの両端側には触れないで、回転ドアの中心部つまり縦軸部分に触れるだけの場合もある。縦軸部分に触れてもシャッタは落ちないので、結果的に捕獲率がそれほど良くなかった。
【０００７】
また、回転ドアは檻本体内に縦軸によって水平方向に回転可能に軸支されているので、縦軸部分は構造的に逃げが利かない。従って、例え各部が正常に作動して捕獲対象獣を捕獲できたとしても、特にイノシシ等の大型獣が入ったときには、捕獲対象獣が内部で暴れると回転ドアは簡単に破損したり変形してしまう。このため、罠が作動するたびに回転ドア部分を新しいものに交換しなくてはならず、維持費が嵩んでいた。
【０００８】
（本発明の目的）
本発明の目的は、捕獲対象獣の接触を利用したトリガ手段の作動により出入口の開閉扉を落として捕獲対象獣を捕獲する罠装置において、檻状の罠本体に入った捕獲対象獣がセンサ部に接触さえすれば、センサ部が揺動するどの方向へ動いても確実に開閉扉を落として捕獲対象獣を捕獲することができる罠装置の作動方法、トリガ装置及びそれを備えた罠装置を提供することである。
【０００９】
本発明の他の目的は、例え大型獣が檻の内部で暴れても、センサ部が容易には破損したり変形することがなく、維持費も安価に抑えることができる罠装置の作動方法、トリガ装置及びそれを備えた罠装置を提供することである。
【００１０】
【課題を解決するための手段】
上記目的を達成するために講じた本発明の手段は次のとおりである。
第１の発明にあっては、
トリガ装置の作動により閉じ作動する開閉扉を備えた罠装置の作動方法であって、
捕獲対象獣がセンサ体に接触してセンサ体が傾き、センサ体の作動部が動作部材を動かして係止を外し、これによって動作部材が付勢力で移動することにより、開閉扉を停止させている停止部材が動いて開閉扉を閉じ作動させることを特徴とする、
罠装置の作動方法である。
【００１１】
第２の発明にあっては、
トリガ装置の作動により閉じ作動する開閉扉を備えた罠装置に使用されるトリガ装置であって、
開閉扉を開けた状態で停止させる停止部材と、
動作方向へ付勢された状態で係止されている動作部材と、
作動部を有し自由方向へ揺動可能に垂下されているセンサ体と、
を有し、
センサ体の傾きにより作動部が動いて動作部材の係止を外すようにしてあり、動作部材が移動することにより停止部材を動かすようにしてあり、停止部材が動くことによって開閉扉が閉じるようにしてあることを特徴とする、
トリガ装置である。
【００１２】
第３の発明にあっては、
動作部材の移動力を、開閉扉を閉じ作動させるよう停止部材を直接または間接的に動かす方向の力に変換する手段を備えていることを特徴とする、
第２の発明に係るトリガ装置である。
【００１３】
第４の発明にあっては、
トリガ装置の作動により閉じ作動する開閉扉を備えた罠装置に使用されるトリガ装置であって、
係止受部と、
係止受部に自由方向へ揺動可能に垂下されており、傾くことにより最高部の高さが高くなる作動部を有するセンサ体と、
センサ体の作動部の上方側に位置し、動作方向へ付勢された状態で、上方へ外れることができるよう係止されている動作部材、
開閉扉と係合し、開閉扉を開けた状態で停止させる停止部材と、
動作部材の移動力を、停止部材の開閉扉との係合を直接または間接的に外す方向の力に変換する手段と、
を備えており、
センサ体の傾きにより作動部の最高部の高さが高くなり動作部材を押し上げて係止を外すようにしてあり、動作部材が移動することにより停止部材を動かすようにしてあり、停止部材が動いて係止が外れることによって開閉扉が閉じるようにしてあることを特徴とする、
トリガ装置である。
【００１４】
第５の発明にあっては、
センサ体は交差して設けられた縦軸と横軸を有し、作動部は縦軸の上部に設けてあり、横軸は二箇所に設けられた係止受部に縦方向に設けられた長孔に両端側を上下動可能及び回動可能に挿通してあることを特徴とする、
第４の発明に係るトリガ装置である。
【００１５】
第６の発明にあっては、
センサ体は縦軸を有し、作動部は縦軸の上部に設けてあり、縦軸は縦軸より径大の挿通孔に挿通され、作動部を挿通孔の孔縁部に係合載置して垂下されていることを特徴とする、
第４の発明に係るトリガ装置である。
【００１６】
第７の発明にあっては、
センサ体は、捕獲対象獣が触れる部分が着脱可能であることを特徴とする、
第２、第３、第４、第５または第６の発明に係るトリガ装置である。
【００１７】
第８の発明にあっては、
作動可能な時間帯を設定する手段を備えていることを特徴とする、
第２、第３、第４、第５、第６または第７の発明に係るトリガ装置である。
【００１８】
第９の発明にあっては、
動作部材の移動力を、停止部材の開閉扉との係合を直接または間接的に外す方向の力に変換する手段は、
並設された二本の回動部材を備えており、各回動部材は中間部が回動可能に軸支され、一端側には停止部材を直接または間接的に動かす部材が接続されており、他端側には長孔が設けられており、各回動部材は長孔が設けてある側を重ねて交差させてあり、動作部材の一部または動作部材と連動する部材の一部が各長孔を貫通してスライド可能に係合した構成であることを特徴とする、
第４、第５、第６、第７または第８の発明に係るトリガ装置である。
【００１９】
第１０の発明にあっては、
トリガ装置の作動により閉じ作動する開閉扉を備えた罠装置であって、
罠本体と、
罠本体に単数または複数設けられた出入口にそれぞれ設けられた開閉扉と、
第２、第３、第４、第５、第６、第７、第８または第９の発明に係るトリガ装置と、
を備えていることを特徴とする、
罠装置である。
【００２０】
本明細書にいう自由方向に揺動可能とは、どの方向から力を受けても揺動が可能で、どの方向へも傾くことができる意味を含むものである。
【００２１】
（作用）
本発明に係るトリガ装置と罠装置は次のように作用する。
罠本体に感知対象物となる捕獲対象獣が入り、係止受部に自由方向へ揺動可能に垂下されているセンサ体に捕獲対象獣が接触すると、センサ体はいずれかの方向へ傾く。
センサ体が傾くことにより、センサ体の上部の作動部も傾き、例えば作動部の最高部の高さが高くなる。
センサ体の作動部の上方側に位置し、いずれかの方向へ付勢された状態で、例えば上方へ外れることができるよう係止されている動作部材は、作動部により押し上げられる。
【００２２】
これにより動作部材の係止が外れ、動作部材は付勢力によって動作方向へ移動する。動作部材の移動力は、停止部材の開閉扉との係合を直接または間接的に外す方向の力に変換される。停止部材は動いて開閉扉の係合が外され、開閉扉は閉じ作動して出入口を塞ぎ、捕獲対象獣は罠本体内に捕獲される。
この後、捕獲対象獣が罠本体内で暴れて接触しても、センサ体は自由方向へ揺動可能であるので、破損や変形しにくい。
【００２３】
センサ体は交差して設けられた縦軸と横軸を有し、作動部は縦軸の上部に設けてあり、横軸は二箇所に設けられた受部に縦方向に設けられた長孔に両端側を上下動可能及び回動可能に挿通してあるものは、センサ体が、横軸が長孔に沿って動く上下方向の動きと、横軸を回転中心とする回動と、横軸のいずれか一方側の長孔縁との接触部を支点とする回動及びこれらを複合した様々な方向に揺動可能である。
【００２４】
センサ体は縦軸を有し、作動部は縦軸の上部に設けてあり、縦軸は縦軸より径大の挿通孔に挿通され、作動部を挿通孔の孔縁部に係合載置して垂下されているものは、センサ体が、作動部の縁部の係合載置部との接触部を支点としてあらゆる方向に揺動可能である。
【００２５】
センサ体が、捕獲対象獣が触れる部分が着脱可能であるものは、着脱可能な部材が破損したり変形しても、部材だけ交換すればよい。
【００２６】
作動可能な時間帯を設定する手段を備えているものは、トリガ装置が作動可能な時間帯を罠の設置者（狩猟者）が任意に設定できる。
【００２７】
動作部材の移動力を停止部材の開閉扉との係合を直接または間接的に外す方向の力に変換する手段が、並設された二本の回動部材を備えており、各回動部材は中間部が回動可能に軸支され、一端側には停止部材を直接または間接的に動かす部材が接続されており、他端側には長孔が設けられており、各回動部材は長孔が設けてある側を重ねて交差させてあり、動作部材の一部または動作部材と連動する部材の一部が各長孔を貫通してスライド可能に係合した構成であるものは、動作部材が付勢力によって移動すると、動作部材の一部または動作部材と連動する部材の一部が各長孔に沿って動くが、このとき各回動部材もその動きにつれて同時に回動する。
そして、当初交差していた各回動部材の長孔側の部分は、動作部材が各長孔の一端側へ移動することによりＶ型になり、その過程で各動作部材が回動することによる一端側の動きによって停止部材が動く。
【００２８】
【発明の実施の形態】
本発明を図面に示した実施の形態に基づき更に詳細に説明する。
図１は本発明に係る罠装置の実施の形態を示す一部を省略した斜視説明図、
図２は停止板の動きを示す説明図で、（ａ）は罠仕掛け状態、（ｂ）は作動状態を示し、
図３は開閉扉ロック装置の構造を示す説明図で、（ａ）は側面図、（ｂ）は内面図を示し、
図４はトリガロッドの動きを示す説明図で、（ａ）は仮セット状態、（ｂ）は位置セット状態、（ｃ）は罠仕掛け状態、（ｄ）は作動状態を示し、
図５はトリガ装置のセンサ体及び動作部材の取付構造を示す説明図で、（ａ）は正面視説明図、（ｂ）は側面視説明図を示し、
図６はセンサ部上部の動作部材の構造を示す斜視図、
図７はセンサ体の構造を示す斜視図、
図８は駆動力方向変換部の構造を示す斜視図である。
図９はトリガロッドの位置設定装置を含む罠装置の一端部の構造を示す斜視図である。
【００２９】
符号Ａは罠装置である。まず、罠装置Ａの概要を説明する。
罠装置Ａは、全体が檻構造であり、罠本体１と、罠本体１の対向して設けられている二箇所の開口部１０、１０ａに昇降することにより開閉可能に設けられた開閉扉２、２ａと、開閉扉２、２ａを落下により閉じ作動させるトリガ装置３と、報知装置４を備えている。
【００３０】
罠装置Ａは、開閉扉２、２ａを開けた状態でトリガ装置３によって停止させておき、罠本体１に捕獲対象獣が入ったことを感知して作動したトリガ装置３によって開閉扉２、２ａが同時に落ち、開口部１０、１０ａを閉じて捕獲対象獣を捕獲するようになっている。また、報知装置４はトリガ装置３が作動したことを狩猟者に対し報知する。
【００３１】
次に、罠装置Ａを詳細に説明する。
罠本体１は、鉄製のアングル（山形鋼）で形成された四角形の枠体の内側に棒材１０２または細板体１０１を交差させて設けた天壁部材１１、底壁部材１２、左右側壁部材１３、１４から成り、正面側に開口部１０が設けられている。これら、天壁部材１１、底壁部材１２、左右側壁部材１３、１４は、ボルト・ナットによって互いに固定（固着）されており、分解・組立が可能な構造である。
【００３２】
罠本体１を構成する上記各部材のうち天壁部材１１は、アングル（山形鋼）で構成した枠の内側に長手方向に平行な二本の細板体１０１に左右方向の多数の棒材１０２を直角方向に通して交差させた構造である。
底壁部材１２、左右側壁部材１３、１４は、棒材１０２のみを交差させた構造である。なお、上記細板体１０１は各部材の内外方向に対し幅方向を平行にして固定されており、特に天壁部材１１及び開閉扉２、２ａは、内外方向の圧力や衝撃に対して強い構造となっている。
【００３３】
罠本体１の両側に設けられている開口部１０、１０ａの左右両側には、ガイド部材１６がそれぞれ垂直に設けられている。ガイド部材１６は、開口部１０、１０ａの下端部から、上端部より高い位置まで延長して設けられている。各ガイド部材１６の外方向側には、横断面形状がコ字状のガイド溝１６０がそれぞれ設けられている。各ガイド溝１６０は開口部１０、１０ａにおいて開口側を向かい合わせて設けられている。
【００３４】
各ガイド部材１６のうち、ガイド溝１６０を構成する内板１６１には、開閉扉２、２ａが閉じた後、開閉扉２、２ａが本質的に開かないようにする開閉扉ロック装置５がそれぞれ設けられている。
【００３５】
図３を参照して、各開閉扉ロック装置５の構造を説明する。
各開口部１０、１０ａ側の各ガイド部材１６の内板１６１及び内板１６１と共にガイド溝１６０を構成する外板１６２には、同じ高さに挿通孔１６３が設けられている。内板１６１の内面側には、挿通孔１６３のやや下側に断面Ｌ字状（山形鋼）の基体５０が内方向へ向け水平に設けられている。
【００３６】
各基体５０は、開放側を外側へ向けて設けられている。基体５０の中間部と基部には、ブラケット５１、５２が設けられている。ブラケット５１、５２の中央部には、上記挿通孔１６３と軸線を同じにする挿通孔５３、５４が設けられている。また、基体５０の先部（内方）寄りには、縦片と横片それぞれに係合溝５５が切り込んで設けられている。なお、係合溝５５を設けないで基体５０の先端部を係合部として利用することもできる。
【００３７】
ブラケット５１、５２の挿通孔５３、５４には、Ｌ字形状のロックピン５６がスライド可能に挿通されている。ロックピン５６の側部には、ストッパー５７が突出して設けられている。
ストッパー５７の位置は、ストッパー５７が外側のブラケット５２の内面に当たることにより、ロックピン５６の先端が外板１６２の挿通孔１６３を通過して外面からやや突出する位置で停止するように設定されている。そして、ロックピン５６は、内側のブラケット５１の外面とストッパー５７の間に装着されている圧縮バネ５８で外方向へ付勢されている。
【００３８】
各開口部１０、１０ａ側には、両側を各ガイド部材１６のガイド溝１６０に嵌め入れて上下方向にスライド可能に設けられた開閉扉２、２ａを備えている。
開閉扉２、２ａは、両ガイド部材１６が開口部１０、１０ａより高い位置に延長して設けてあることにより、延長した部分で開閉扉２、２ａを保持して開口部１０、１０ａを全開にした状態にすることができる。
開閉扉２、２ａは、罠本体１の開口部１０、１０ａとほぼ同じ大きさに形成されており、閉じることによって開口部１０、１０ａを捕獲対象獣が出られない状態で塞ぐことができる。開閉扉２、２ａの外面側の下部には、開閉扉２、２ａを昇降させる操作をしやすくするための把手２１が設けられている。
【００３９】
開閉扉２、２ａの内面側の中央部には、後述する停止板３１の外端部が当接する細板状の摺動板２０が垂直に設けられている。
なお、開閉扉２、２ａが落ちて開口部１０、１０ａを閉じた状態で、上記開閉扉ロック装置５を図３（ａ）の状態にしておけば、開閉扉２、２ａが上方向（開く方向）へ動いても上部がロックピン５６に当たるので、開閉扉２、２ａは下側がやや開くだけであり、大きく開くことはない。従って、捕獲された捕獲対象獣が罠本体１内部で暴れても開閉扉２、２ａが開いてしまうことはなく捕獲対象獣は逃げることができない。
【００４０】
罠本体１には、トリガ装置３が設けられている。
トリガ装置３は、上昇した開閉扉２、２ａを下から支える停止部材である停止板３１と、各停止板３１に掛かって停止板３１による開閉扉２、２ａの支持を維持するとともに維持状態の解除も行うトリガ部材であるトリガロッド３２と、トリガロッド３２の停止板３１に対する掛かり位置を仮止め位置及び罠仕掛け位置に設定するための位置設定装置３３と、捕獲対象獣が罠本体１内に入ったことを感知するセンサ部７と、動作部材７１の移動力を停止板３１と開閉扉２、２ａとの係合を外す方向の力（すなわちトリガロッド３２と停止板３１の係合を外す方向の力）に変換する駆動力方向変換部８を備えている。
【００４１】
図１、図２を参照して各停止板３１の構造を説明する。
停止板３１は、天壁部材１１の開口部１０、１０ａを構成する横部材１１０の中央部に設けられている。停止板３１は、長手方向を天壁部材１１の長手方向と平行とし、外端部側を横部材１１０の端縁部からやや外方へ突出させ、蝶番３１０を介し上下方向へ回動できるようにして取り付けられている。
【００４２】
停止板３１は、蝶番３１０で外寄りを軸支しているので、外力が作用しない状態においては内方へ倒れてほぼ水平になる。なお、本実施の形態では重力を利用して内方へ倒れるようになっているが、バネ等の付勢体で付勢することにより倒れるようにしてもよい。
【００４３】
停止板３１の外端部は、両ガイド溝１６０に沿って昇降する開閉扉２、２ａの底面に掛けることができる位置まで延出されているので、停止板３１を水平に固定すれば開閉扉２、２ａを下から支持することができる（図２（ａ）参照）。
また、支持が解除されて開閉扉２、２ａが下降すると、停止板３１は外端部側が開閉扉２、２ａに押さえられて下方へ回動し、内端部側が上方へ跳ね上がる（図２（ｂ）参照）。
【００４４】
停止板３１の内方には、トリガロッド３２が水平方向に回動可能に取り付けられている。トリガロッド３２は、天壁部材１１の一方側の細板体１０１に回転軸部材３２０を介し取り付けてある。
トリガロッド３２のうち、一端側（回転軸部材３２０を境界として短尺側）は後述する報知装置４の発信機４０近傍に位置するよう設定されており、他端側（回転軸部材３２０を境界として長尺側）は、天壁部材１１の側端部に設けられた位置設定装置３３を貫通するよう設定されている。
【００４５】
トリガロッド３２の短尺側の端部寄りには、ロッド３２１が立ててある。ロッド３２１は、基部の通孔をトリガロッド３２に嵌め入れ、通孔に貫通するネジで締め付けて固定する構造であり、トリガロッド３２に沿って移動させることができ、角度も調整できる。
【００４６】
トリガロッド３２の長尺側の端部寄り（位置設定装置３３より内側）には、後述する駆動力方向変換部８を構成するリンク部材８３、８４の一端側を係合するための係合リング３２３が設けてある。
なお、トリガロッド３２は、回転軸部材３２０の回動部の遊びを利用して、特に長尺側で上下動ができる構造となっている。
【００４７】
トリガロッド３２の長尺側の端部は、上記したように天壁部材１１の側端部に設けられた位置設定装置３３を貫通させてある。位置設定装置３３は、横長に形成されたほぼ長方形状の基板３３０を有している。基板３３０には、水平方向にガイド長孔３３１が設けられている。トリガロッド３２はガイド長孔３３１を貫通している。
【００４８】
ガイド長孔３３１の一端部には上方へ切欠いて仮止め係合部３３２が設けられており、他端部には下方へ切欠いて係合部３３６が設けられている。係合部３３６は作動したトリガロッド３２が外方へ戻らないようにするものであるが、外方へ戻らないようにする構造としてはこれに限定するものではなく、例えば位置設定装置３３の基板３３０の係合フック３３３の隣（ガイド長孔３３１の内端部寄り）に係合フック３３３と向きを逆（対称形状）にした係合フック（図示省略）を設けて、外方へ戻ろうとするトリガロッド３２が係合部に引っ掛かるようにした構造を採用することもできる。
【００４９】
また、基板３３０の外面側には、トリガロッド３２の停止板３１との掛かり位置を罠仕掛けのための位置に自動的に位置させることができる係合フック３３３が設けられている。係合フック３３３は、基部がピン３３４で回動可能に取り付けられており、自重で自然に垂れ下がったときに、トリガロッド３２が移動するガイド長孔３３１に係合部３３５が重なるように設定されている。
【００５０】
上記センサ部７と駆動力方向変換部８は、図１に示すように罠本体１の天壁部材１１の長手方向中間部に幅方向へ設けられた台部材６に設けられている。
台部材６は金属製で、天壁部材１１の長手方向の中央部にほぼ全幅にわたり設けてある。台部材６は、ボルト・ナット（図示省略）によって取り付けてあり、着脱可能で、固定位置を変えることもできる。
台部材６の長手方向（天壁部材１１では幅方向）のほぼ中間部には、センサ体７０の上部に設けてある作動板７０３を位置させるための四角形状の貫通した設置孔６０が設けてある。
【００５１】
図５、図６、図７を参照する。
センサ部７は、設置孔６０の下方に垂下して設けてあるセンサ体７０と、台部材６の上面側に設けてある動作部材７１と、動作部材７１を引っ張るコイルバネ７２を備えている。
細板状の動作部材７１は一端側に取着片７３が立設してある。取着片７３には、後述する駆動力方向変換部８の移動体をつなぐ作動ワイヤ７４の一端が接続してある。
【００５２】
取着片７３から他方側へやや離れて係止ボルト７５が動作部材７１を上下に貫通して螺合してある。係止ボルト７５のネジ部先端部は、動作部材７１の下面から突出させてあり、設置孔６０の一端側の孔縁に係止される。係止ボルト７５を回して突出量を調整することにより動作部材７１の外れやすさの調整が可能であり、これによりセンサ部７の感度を調整することができる。
【００５３】
係止ボルト７５から更に他方側へ離れてバネ掛けボルト７６が螺着して立ててある。バネ掛けボルト７６には、コイルバネ７２の一端側が掛けてある。コイルバネ７２の他端側は、十分に伸ばして張力を掛けた状態で、台部材６の端部に設けてあるバネ掛けボルト７７（図１に図示）に掛けてある。
【００５４】
なお、符号７８はフック状の安全具で、蝶ネジ７９により締付調整ができる。必要時には、蝶ネジ７９を緩めて安全具７８を回して動作部材７１の上面に接触させて押さえ、動作部材７１の跳ね上がりを止めることにより動作部材７１の作動を防止できる。また、安全具７８のフック部を係止ボルト７５に掛けて動作部材７１の作動防止効果をより確実にすることもできる。
【００５５】
台部材６の下面側で設置孔６０の両側には、垂下係止片６１、６２が垂直方向に設けてある。垂下係止片６１、６２には、それぞれ上下方向に長い受孔６３が設けてある。垂下係止片６１、６２にはセンサ体７０がほぼどの方向にも傾くことができるように揺動可能に設けられている。
【００５６】
センサ体７０は金属製で、丸棒形状の縦軸７０１と、縦軸７０１の中間部よりやや上部に直角に交差して設けられた同じく丸棒形状の横軸７０２及び捕獲対象獣が触れる部分となる棒体７０９を備えている。
縦軸７０１の上端部には四角形状の板状の作動板７０３が横軸７０２と平行に設けてある。作動板７０３は、上記したように台部材６の設置孔６０よりやや小さく形成され、内側に位置させることができる。また、作動板７０３の一組の相対向する端辺側は下方へ湾曲させてある。
【００５７】
縦軸７０１の下端部は薄くなるよう加工してあり、その中央部に貫通孔７００が設けてある。また、横軸７０２は、垂下係止片６１、６２の間隔より長く形成されており、図５、図７に示すように各受孔６３に両端部を挿通してセットできる。横軸７０２の両端部には、受孔６３から外れないようにアールピンＰが取り付けてある。また、セット状態では、作動板７０３の上面は台部材６の上面とほぼ面一になるように設定されている。
【００５８】
縦軸７０１の下部にはほぼ円筒形状の取付アダプタ７０４が取り付けてある。取付アダプタ７０４は、一方側（図５で上部側）に縦軸７０１を通す挿着孔７０５を有し、他方側に挿着孔７０５より径大な挿着孔７０６を有している。取付アダプタ７０４の側部には、挿着孔７０５、７０６まで貫通して螺合された蝶ネジ７０７、７０８が設けてある。取付アダプタ７０４は蝶ネジ７０７を締め付けて縦軸７０１に固定してある。
【００５９】
取付アダプタ７０４の下部側の挿着孔７０８には木の枝等でつくられた棒体７０９が一端部を差し込んで蝶ネジ７０８で止めて取り付けてある。棒体７０９の素材としては、木に限定するものではなく、竹、金属、合成樹脂を採用することもできる。棒体７０９は、着脱（取替）可能である。棒体７０９の長さは、罠本体１の底壁部材１２に当たらない程度の長さに設定されている。
【００６０】
なお、蝶ネジ７０８の締め込みの程度を変えることにより、例えば捕獲対象獣が大型である場合、棒体７０９が折れたり曲がったりしないように棒体７０９の固定力を弱めて作動後すぐに外れるようにしておく等の調整が可能である。
また、棒体７０９が例えば金属製である場合、接続部分に木の枝等、比較的折れやすい材質のもの、あるいはコイルバネ等、比較的外れやすいものを介在させて取り付けることにより、上記と同等の効果を得ることもできる。
更に、棒体７０９の下部を例えば逆Ｔ字状に形成する等、横方向の部材を設けると、捕獲対象獣が鼻先を突き上げる動作をするときに当たりやすく、センサ体７０の感度が向上する。
【００６１】
上記構造によれば、センサ体７０の棒体７０９に捕獲対象獣（捕獲対象獣）が接触すると、センサ体７０はいずれかの方向へ傾く。センサ体７０が傾くことにより、上部の作動板７０３も傾き、作動板７０３の最高部の高さが高くなる。また、捕獲対象獣が棒体７０９の下端部を鼻先で押し上げる等しても同様に作動板７０３の最高部の高さが高くなる。
これにより、動作部材７１は、作動板７０３により押し上げられ、動作部材７１の係止ボルト７５先端部と設置孔６０の孔縁部との係止が外れ、動作部材７１はコイルバネ７２の引っ張り力（付勢力）によって瞬間的に移動する。
【００６２】
図８を参照する。
駆動力方向変換部８は、台部材６の一端側に設けてある。
駆動力方向変換部８は、並設された二本の回動部材８１、８２を備えている。回動部材８１、８２は、ほぼ中間部で軸ボルト８１０、８２０によって水平方向に回動可能に軸支されている。
回動部材８１、８２の一端側には、停止板３１を間接的（トリガ部材３２が介在する）に動かすリンク部材８３、８４が接続されている。リンク部材８３、８４の一端側は軸ボルト８１１、８２１によって水平方向に回動可能に接続され、他端側は下方へ曲げられて各トリガ部材３２の係合リング３２３に係合されている。リンク部材８３、８４は、各トリガ部材３２の係合リング３２３との係合を必要に応じて解除できる。
【００６３】
本実施の形態ではリンク部材８３、８４は丸棒を採用しており、捕獲された獣が噛みついても容易に切れず、ほとんど伸びないので作動時のレスポンスにも優れている。なお、リンク部材８３、８４としては丸棒以外にも、針金、ワイヤロープ、ロープ等を使用することもできる。
【００６４】
回動部材８１、８２の他端側には長孔８１２、８２２が設けられている。回動部材８１、８２は、長孔８１２、８２２が設けてある側をスライド可能に重ねて交差させてある。
上記した作動ワイヤ７４の他端側には移動体８０が接続してある。移動体８０は上下二枚の板体に分かれており、両板の先部間には係合ボルト８５が固定してある。係合ボルト８５は重なった長孔８１２、８２２を貫通してスライド可能に設けてある。
【００６５】
移動体８０の一端側には取着片８００が立設してあり、取着片８００にはロック部材８６が接続してある。ロック部材８６の先部にはフック部８６０が設けてある。ロック部材８６に基端側は取付ネジ８０１によって回動可能に接続してあり、先端側は制御ボックス９に挿通口９０から差し込まれている。
【００６６】
制御ボックス９の内部には、タイマーで制御される安全装置（図示省略）が収容されている。安全装置は進退するロックピンを有しており、昼間には安全のためにロックピンをフック部８６０に係止してロック部材８６を固定して駆動力方向変換部８すなわりトリガー装置３が作動しないようにし、夜間にはロックピンによるロック部材８６の固定を解除してトリガー装置３が作動できるようにする。作動ワイヤ７４は図１、図６、図８に示すセット状態でやや弛ませてある。
【００６７】
上記構造によれば、上記センサ部７の作動によって移動体８０が引かれると、係合ボルト８５は長孔８１２、８２２内をスライドし、回動部材８１、８２は一緒に（ほぼ同時に）回動してリンク部材８３、８４が内方向へ引き寄せられる。なお、駆動力方向変換部８の代わりに、例えば動作部材７１にワイヤロープを二本つなぎ、各ワイヤロープをリングを通して二方向に分け、各ワイヤロープを各トリガロッド３２につないで、センサ部７の作動により各トリガロッド３２を引っ張るようにした駆動力方向変換構造も採用できる。
【００６８】
報知装置４は発信機４０と受信機４１で構成される。天壁部材１１には、報知装置４を構成する発信機４０が取り付けてある。発信機４０は、取付台４２によって棒材１０２間に設けられた台板に固定されており、防水のためカバー４３が被せてある。カバー４３のうち、外部側は開口している。カバー４３はネジ着されているが、いたずらを防止するために錠をかける構造としてもよい。
【００６９】
発信機４０は、スイッチ板４４を所定位置まで抜くことによって発信する構造であるが、これに限定するものではなく、他の構造の発信機を採用することもできる。
スイッチ板４４には、柔軟性を有する紐４５の一端がつながれており、紐４５の他端は上記トリガロッド３２のロッド３２１につながれている。なお、紐４５が柔軟性を有していることにより、一端スイッチ板４４が引かれた後でトリガロッド３２が戻っても、スイッチ板４４が再び収容部に入って発信が停止するということはなく、発信状態を確実に維持できる。
【００７０】
上記構造により、スイッチ板４４はトリガロッド３２と連動する。なお、スイッチ板４４の位置の設定は、後述するが、トリガロッド３２が罠仕掛け状態にあるときに収容部に入った位置（発信しない）にあり、トリガ装置３が作動したときに収容部から所定位置（発信する）まで抜けるように調整されている。
なお、受信機４１は、発信機が発信する信号を受信して、音を発したりランプやデジタル表示で報知し、あわせてトリガ装置３が作動した罠装置Ａを特定できるようになっている。
【００７１】
（作　用）
図１ないし図９を参照して、本実施の形態に係る罠装置Ａの作用を説明する。
（１）獣道等、捕獲対象となる獣の通るところに罠装置Ａを設置する。各開閉扉ロック装置５のロックピン５６を内方へ動かして係合溝５５に係合させ、開閉扉２、２ａの昇降を可能にする。そして、開閉扉２、２ａに設けられている把手２１を持って開閉扉２、２ａをそれぞれ上昇させる（実際には片側ずつ行う）。
なお、リンク部材８３、８４のうち一方側と係合リング３２３との係合を解除してトリガロッド３２と開閉扉２、２ａのうち一方側との係合を外し、下降させて閉じておくことにより、片扉形の罠装置としての使用も可能である。
また、リンク部材８３、８４と各トリガロッド３２の係合リング３２３との係合を解除し、リンク部材８３、８４を邪魔にならない方へ回動させておき、更に各係合リング３２３にワイヤの一方側をつなぎ、ワイヤの他方側を罠本体１内に張ってセットすることも可能である。
狩猟者は把手２１を握ることによって開閉扉２、２ａを確実に持ち上げることができ、過って開閉扉２、２ａを落としたり、これにより手や足を挟んで怪我することを防止できる。
【００７２】
（２）開閉扉２、２ａを上昇させると、開閉扉２、２ａの下端部が罠本体１の開口部１０、１０ａの上縁部を超えたところで停止板３１の摺動板２０との当接状態（摺動している状態）が解除され、停止板３１は内方側の重みで内方へ倒れてほぼ水平になる。
（３）停止板３１が水平になった状態で、開閉扉２、２ａを支えながらトリガロッド３２の長尺側を停止板３１の上に被さるように外方へ回動させる。トリガロッド３２は係合フック３３３を押し回して、ガイド長孔３３１の外端部に当たる。
【００７３】
（４）開閉扉２、２ａを少し降ろして、下端面を停止板３１の外端部に乗せる。このとき、停止板３１はトリガロッド３２が内方端部に被さっているので、外方へ回動することができず、従って、開閉扉２、２ａは停止板３１によって下方から支持される。また、このとき停止板３１は、開閉扉２、２ａの重さによって内方側が上昇しトリガロッド３２を持ち上げるため、トリガロッド３２は仮止め係合部３３２に係合し、仮止め状態となる（図４（ａ）参照）。
【００７４】
（５）トリガロッド３２を押し下げ操作して仮止め係合部３３２との係合を外し、更に内方へ回動させる。内方へ移動したトリガロッド３２は、係合フック３３３を押し回し、これにより係合部３３５に係合して止まる（図１、図４（ｂ）参照）。この停止位置が罠仕掛け時の掛かり位置であり、係合フック３３３によって自動的に決まる。
【００７５】
（６）各開閉扉ロック装置５のロックピン５６の係合溝５５との係合を外し、圧縮バネ５８の付勢力によってロックピン５６の先端部を、ガイド溝１６０内に停止している開閉扉２、２ａの枠体内面に当接させた状態とする。
（７）安全装置である係合フック３３３をトリガロッド３２との係合が外れる方向へ回し、ほぼ一回転させてトリガロッド３２の外方に位置させる（図４（ｃ）参照）。これで、罠の仕掛け（セット）は終了である。この後、センサ体７０の下方に餌を置いておく。
【００７６】
（８）捕獲対象獣が餌につられて開口部１０または開口部１０ａから罠本体１内に入り、センサ部７のセンサ体７０の棒体７０９に触れると、センサ体７０が傾き、作動板７０３によって動作部材７１が押し上げられて係合ボルト７５による係合が外れ、動作部材７１はコイルバネ７２で強く引っ張られる。これにより移動体８０が引かれ、駆動力方向変換部８が作動してリンク部材８３、８４によって各トリガロッド３２が引かれ、回動する（図４（ｄ）参照）。
【００７７】
（９）各トリガロッド３２と各停止板３１との掛かりが外れ、開閉扉２、２ａの重みで停止板３１が外方へ回動し、停止板３１による支えがなくなった開閉扉２、２ａは瞬時に下方へ落ちる。これによって、罠本体１の開口部１０、１０ａは閉じられ、捕獲対象獣は捕獲され外へ出ることができなくなる。
捕獲対象獣が、距離のある開閉扉２、２ａ間を往復して突進を繰り返しても、センサ体７０はほぼどの方向へも揺動可能であるため、捕獲対象獣が暴れて接触する力、衝撃を受け流すように逃げる（動く）ことが可能であり、破損や変形しにくい。また、棒体７０９は、例え破損しても次の仕掛けでは周囲の木々から容易に調達でき、交換も簡単にできる。
なお、トリガロッド３２は係合部３３６に係合するので、次にトリガ装置３をセットするときにトリガロッド３２が停止板３１が内方へ倒れるときに邪魔にならない。また、トリガロッド３２を係合部３３６に係合させて戻りにくい構造とすることにより、スイッチ板４４とロッド３２１をつなぐ紐４５に代えて、強度にすぐれる金属板や高剛性の針金等を採用することもできる。
【００７８】
（１０）各トリガロッド３２の長尺側がリンク部材８３、８４で引かれて内方へ回動することにより、トリガロッド３２の短尺側は反対に外方へ回動する。これにより、発信機４０のスイッチ板４４が収容部から抜け、信号が発信され、受信機４１側の報知によって、狩猟者はトリガ装置３が作動したことを知ることができる。また、携帯電話のサービスを利用してより遠くの受信機４１に信号を送ることができるようにしてもよい。
【００７９】
図１０はセンサ体の他の使用例を示す説明図である。
罠装置Ａは、センサ部７のセンサ体７０を構成する取付アダプタ７０４と棒体７０９を取り外して、代わりに針金Ｗを利用してセットできる。
図１０に示すように縦軸７０１の下部に設けてある貫通孔７００に針金Ｗの一端を括り付け、左側壁部材１３の棒材１０２に回し掛け、更に棒材１０２に取り付けてある通し金具１８に通し、他端を右側壁部材１４の棒材１０２にくくりつける。
【００８０】
なお、本発明に係るセンサ部７の構造によれば、針金Ｗは上記と逆に、まず右側壁部材１４の棒材１０２に回し掛け、右側壁部材１４の棒材１０２に固定された通し金具１８に通し、左側壁部材１３の棒材１０２に括り付けても同様にセットできる。これにより、例えば木の枝の張り出し等、設置箇所の様々な条件に合わせたセッティングが可能になり、セッティングに関して自由度が高い。
【００８１】
通し金具１８は、棒材１０２に固着するための固着具１８１とリング１８０を有し、棒材１０２の任意の箇所に固着具１８１によって固定できる。針金Ｗはリング１８０に通される。
このセット方法によれば、罠本体１に入った捕獲対象獣が針金Ｗに触れるとセンサ体７０を構成する縦軸７０１が引かれて傾く。以下は、上記棒体７０９を使用した場合と同様にトリガー装置３が作動し、両開閉扉２、２ａが落ちて捕獲対象獣は捕獲される。また、通し金具１８を固定する高さを調整することにより、針金Ｗを張る高さを調整することができる。
【００８２】
図１１はセンサ体の他の実施形態を示す説明図である。
図１１においては、動作部材７１の図示はセンサ体７０ａの構造を明確にするために省略している。
本実施の形態に係るセンサ体７０ａは、縦軸７０１とその上端部に縦軸７０１の軸線方向と直角に設けてある円板状の作動板７０３を有している。縦軸７０１の下部には、上記センサ体７０と同様に取付アダプタ７０４を介し棒体７０９が装着されるが、取付アダプタ７０４と棒体７０９を取り外し、貫通孔７００にワイヤＷをつないで使用される場合もある。なお、図１１では取付アダプタ７０４、棒体７０９の図示を省略している。
【００８３】
センサ体７０ａは、台部材６に設けてある正方形状の設置孔６４に作動板７０３を位置させて垂下して設けてある。設置孔６４の下側には係合受板６５が設置孔６４を塞ぐように固着してある。係合受板６４の中心部には、円形の挿通孔６６が設けてある。挿通孔６６の内径は、縦軸７０１の直径の約二倍に設定されている。センサ体７０ａは、縦軸７０１を挿通孔６６の上方から挿通し、係合受板６４を挿通孔６６の孔縁部に係合載置するようにして収められている。縦軸７０１のほぼ中間部には抜け防止のためのアールピンＰが装着されている。
【００８４】
この構造によれば、センサ体７０ａは、作動板７０３の下縁部の係合受板６５との接触部を支点としてあらゆる方向に揺動可能であり、上下方向にも動かすことができる。そして、センサ体７０ａが傾いたり上下動をすると、作動板７０３の最高部の高さが高くなる。
従って、罠本体に入った捕獲対象獣がセンサ部７０ａに接触さえすれば、センサ部７０ａがどの方向へ動いても確実に開閉扉２、２ａを落として捕獲対象獣を捕獲することができる。
【００８５】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００８６】
【発明の効果】
本発明は次の効果を有する。
（ａ）トリガ装置のセンサ体は、どの方向に力を受けても揺動して傾斜し、動作部材の係合を外してトリガ装置を作動させ、開閉扉を閉じることができるので捕獲対象獣の捕獲率が高い。
この後、捕獲対象獣が罠本体内で暴れて接触しても、センサ体は自由方向へ揺動可能であるので、その力及び衝撃を受け流すように動くことが可能であり、破損や変形を起こしにくい。これにより、部品の交換もわずかですみ、罠装置を安価に維持できる。
【００８７】
（ｂ）センサ体は交差して設けられた縦軸と横軸を有し、作動部は縦軸の上部に設けてあり、横軸は二箇所に設けられた受部に縦方向に設けられた長孔に両端側を上下動可能に挿通してあるものは、センサ体が、横軸が長孔に沿って動く上下方向の動きと、横軸を回転中心とする回動と、横軸のいずれか一方側の長孔縁との接触部を支点とする回動及びこれらを複合した様々な方向に揺動可能である。これにより、罠本体に入った捕獲対象獣がセンサ部に接触さえすれば、センサ部がほぼどの方向へ動いても確実に開閉扉を落として捕獲対象獣を捕獲することができる。
【００８８】
（ｃ）センサ体は縦軸を有し、作動部は縦軸の上部に設けてあり、縦軸は縦軸より径大の挿通孔に挿通され、作動部を挿通孔の孔縁部に係合載置して垂下されているものは、センサ体が、作動部の縁部の係合載置部との接触部を支点としてあらゆる方向に揺動可能である。
これにより、罠本体に入った捕獲対象獣がセンサ部に接触さえすれば、センサ部がどの方向へ動いても確実に開閉扉を落として捕獲対象獣を捕獲することができる。
【００８９】
（ｄ）センサ体が、捕獲対象獣が触れる部分が着脱可能であるものは、着脱可能な部材が破損したり変形しても、部材だけ交換すればよい。
なお、着脱可能な部材としてはコストがかからない適当な太さの木の枝を切って利用することができるので利便性が高い。また、木の枝等の自然のものを利用することにより、罠に入ってきた捕獲対象獣の警戒心をやわらげる効果が期待できる。
【００９０】
（ｅ）作動可能な時間帯を設定する手段を備えているものは、トリガ装置が作動可能な時間帯を罠の設置者（狩猟者）が任意に設定できる。
これにより、罠装置が夜間のみ作動するようにし、昼間には罠装置が作動しないようにして、猟犬に侵入や人間のいたずらによる無駄な作動を防止することができる。
【００９１】
（ｆ）動作部材の移動力を停止部材の開閉扉との係合を直接または間接的に外す方向の力に変換する手段が、並設された二本の回動部材を備えており、各回動部材は中間部が回動可能に軸支され、一端側には停止部材を直接または間接的に動かす部材が接続されており、他端側には長孔が設けられており、各回動部材は長孔が設けてある側を重ねて交差させてあり、動作部材の一部または動作部材と連動する部材の一部が各長孔を貫通してスライド可能に係合した構成であるものは、動作部材が付勢力によって移動すると、動作部材の一部または動作部材と連動する部材の一部が各長孔に沿って動くが、このとき各回動部材もその動きにつれて同時に回動する。
そして、当初交差していた各回動部材の長孔側の部分は、動作部材が各長孔の一端側へ移動することによりＶ型になり、その過程で各動作部材が回動することによる一端側の動きによって停止部材が動く。
これにより、スムーズな動きで動作部材の移動力を停止部材の開閉扉との係合を外す方向の力に変換することができ、二箇所にある開閉扉を確実に閉じ作動させることができる。
【図面の簡単な説明】
【図１】本発明に係る罠装置の実施の形態を示す一部を省略した斜視説明図。
【図２】停止板の動きを示す説明図。
【図３】開閉扉ロック装置の構造を示す説明図。
【図４】トリガロッドの動きを示す説明図。
【図５】トリガ装置のセンサ体及び動作部材の取付構造を示す説明図で、（ａ）は正面視説明図、（ｂ）は側面視説明図。
【図６】センサ部上部の動作部材の構造を示す斜視図。
【図７】センサ体の構造を示す斜視図。
【図８】駆動力方向変換部の構造を示す斜視図。
【図９】トリガロッドの位置設定装置を含む罠装置の一端部の構造を示す斜視図。
【図１０】センサ体の他の使用例を示す説明図。
【図１１】センサ体の他の実施形態を示す説明図。
【符号の説明】
Ａ　罠装置
１　罠本体
１０、１０ａ　開口部
１１　天壁部材
１１０　横部材
１２　底壁部材
１３　左側壁部材
１４　右側壁部材
１０１　細板体
１０２　棒材
１６　ガイド部材
１６０　ガイド溝
１６１　内板
１６２　外板
１６３　挿通孔
１７　表示板
２、２ａ　開閉扉
２０　摺動板
２１　把手
３　トリガ装置
３１　停止板
３１０　蝶番
３２　トリガロッド
３２０　回転軸部材
３２１　ロッド
３２２　ネジ
３２３　係合リング
３３　位置設定装置
３３０　基板
３３１　ガイド長孔
３３２　仮止め係合部
３３３　係合フック
３３４　ピン
３３５　係合部
３３６　係合部
４　報知装置
４０　発信機
４１　受信機
４２　取付台
４３　カバー
４４　スイッチ板
４５　紐
５　開閉扉ロック装置
５０　基体
５１、５２　ブラケット
５３、５４　挿通孔
５５　係合溝
５６　ロックピン
５７　ストッパー
５８　圧縮バネ
７　センサ部
７０　センサ体
７０１　縦軸
７０２　横軸
７０３　作動板
７００　貫通孔
７０４　取付アダプタ
７０５、７０６　挿通孔
７０７、７０８　蝶ネジ
７０９　棒体
７１　動作部材
７２　コイルバネ
７３　取着片
７４　作動ワイヤ
７５　係止ボルト
７６　バネ掛けボルト
７７　バネ掛けボルト
７８　安全具
７９　蝶ネジ
６　台部材
６０　設置孔
６１、６２　垂下係止片
６３　受孔
８　駆動力方向変換部
８０　移動体
８１、８２　回動部材
８１０、８２０　軸ボルト
８１１、８２１　軸ボルト
８１２、８２２　長孔
８３、８４　リンク部材
８５　係合ボルト
８６　ロック部材
８６０　フック部
８００　取着片
８０１　取付ネジ
９　制御ボックス
９０　挿通口
１８　通し金具
１８０　リング
１８１　固着具
Ｗ　針金
７０ａ　センサ体
６４　設置孔
６５　係合受板
６６　挿通孔
【図１】
2004121077.tif 000003
【図２】
2004121077.tif 000004
【図３】
2004121077.tif 000005
【図４】
2004121077.tif 000006
【図５】
2004121077.tif 000007
【図６】
2004121077.tif 000008
【図７】
2004121077.tif 000009
【図８】
2004121077.tif 000010
【図９】
2004121077.tif 000011
【図１０】
2004121077.tif 000012
【図１１】
2004121077.tif 000013